(57)【要約】      （修正有）【課題】水分の蒸発を促進して乾燥速度を高めることにより、乾燥度の高い使用を可能とし、不快感をなくして使用感を良くすることができる吸水性のある敷物を提供する。【解決手段】吸水性のある敷物１は、水分の吸い込みが可能な連続気孔１ａを備える吸水性素材からなり、表面２に物を載せない状態で敷設面４に点接触して裏面３を雰囲気に曝露する点接触箇所６を備える。表面に物を載せない状態での乾燥は、雰囲気に曝露する表面からと裏面からの蒸発の協働でなされ、蒸発が促進され、乾燥度の高い使用が可能となる。また、表面に物を載せた場合は、変形して裏面と敷設面との接触が拡大され、物の安定載置が可能となる。【選択図】図３
0003211540.tif 000002
【実用新案登録請求の範囲】
【請求項１】
水分の吸い込みが可能な吸水性素材からなり、表面に物を載せない状態で敷設面に点接触して裏面を雰囲気に曝露する点接触箇所が備わっており、表面に物を載せると変形して裏面と敷設面との接触が拡大され、当該物の安定載置を可能にしたことを特徴とする吸水性のある敷物。
【請求項２】
請求項１に記載した吸水性のある敷物において、
前記点接触箇所が複数である吸水性のある敷物。
【請求項３】
水分の吸い込みが可能な吸水性素材からなり、表面に物を載せない状態で敷設面に線接触して裏面を雰囲気に曝露する線接触箇所が備わっており、表面に物を載せると変形して裏面と敷設面との接触が拡大され、当該物の安定載置を可能にしたことを特徴とする吸水性のある敷物。
【請求項４】
請求項３に記載した吸水性のある敷物において、
前記線接触箇所が複数である吸水性のある敷物。
【考案の詳細な説明】
【技術分野】
【０００１】
本考案は吸水性のある敷物に係り、さらに詳しくは、吸い込んだ水分の蒸発を促進して乾燥速度を高めた吸水性のある敷物に関する。
【背景技術】
【０００２】
従来、吸水性のある敷物として、例えば、特許文献１に記載のコースターが提供されている。このコースターを図９，図１０に示す。
【０００３】
図９，図１０において、コースター５０は、多数の独立気泡５３を有する平坦なシート状発泡体からなり、各気泡５３のいずれかに連通してコースター５０の表面５１に臨む多数の盲貫孔５４が形成されているとともに、残る気泡５３のいずれかに連通してコースター５０の裏面５２に臨む多数の盲貫孔５４が形成されている。
【０００４】
コースター５０は、テーブルやカウンターの上面などの敷設面に敷設して、表面５１に飲用グラスなどが載置される。冷たい水や酒類の入った飲用グラスが載置されると、外気温度との温度差によりグラスの表面に結露水が発生して流下する。また、飲用時に水や酒類がグラスからこぼれて流下する場合もある。これらの流下水分は、表面５１に臨む多数の盲貫孔５４から多数の気泡５３に吸水されたり、あるいは表面５１から直接多数の気泡５３に吸水されることで前記敷設面の濡れを防止するように働く。
【０００５】
ところで、平坦なシート状に成形されているコースター５０は、表面５１に飲用グラスなどの物を載せない状態で敷設面に敷設しても、裏面５２の全面が敷設面に接触する。このため、水分を吸収したコースター５０の乾燥は、外気に触れる表面５１からの蒸発のみに委ねられる。言い換えると、コースター５０の乾燥は、雰囲気に曝露する表面５１からの蒸発のみに委ねられる。よって、乾燥速度が低い。その一方、表面５１に物を載せると曝露部分が縮小されるので、さらに乾燥速度が低下する。その結果、乾燥度の低いコースター５０が使用され、べたつきなどの不快感を与えて使用感を悪くするばかりか、延いては、飽和点まで吸水されて敷設面を濡らすおそれもある。
【先行技術文献】
【特許文献】
【０００６】
【特許文献１】実用新案登録第３０８４４４５号
【考案の概要】
【考案が解決しようとする課題】
【０００７】
本考案は、上記の実情に鑑みてなされたもので、吸い込んだ水分の蒸発を促進して乾燥速度を高めることにより、乾燥度の高い使用を可能とし、不快感をなくして使用感を良くすることができる敷物の提供を目的とするものである。
【課題を解決するための手段】
【０００８】
前記目的を達成するために、本考案に係る吸水性のある敷物は、水分の吸い込みが可能な吸水性素材からなり、表面に物を載せない状態で敷設面に点接触して裏面を雰囲気に曝露する点接触箇所が備わっており、表面に物を載せると変形して裏面と敷設面との接触が拡大され、当該物の安定載置を可能にしたことを特徴とするものである。
【０００９】
このような構成の吸水性のある敷物によれば、表面に物を載せない状態での乾燥は、雰囲気に曝露する表面からの蒸発と、雰囲気に曝露する裏面からの蒸発と、の協働によってなされる。このため、蒸発が促進されて乾燥速度が高くなる。その結果、乾燥度の高い状態での使用が可能となり、不快感をなくして使用感を良くすることができる。しかも、表面に物を載せた場合の変形で、裏面と敷設面との接触が拡大されることにより、物の安定載置が可能となる。
【００１０】
本考案に係る吸水性のある敷物は、前記点接触箇所が複数である。これによると、各点接触箇所が敷設面に点接触した安定姿勢で敷設面に敷設することが可能となり、表面に物を載せない状態での傾倒が防止され、裏面曝露の縮小を回避して乾燥速度を高めるのに寄与することができる。また、表裏両面積の大きい敷物の作成が可能となるので、多様な敷物の作成に対応できる。
【００１１】
前記目的を達成するために、本考案に係る吸水性のある敷物は、水分の吸い込みが可能な吸水性素材からなり、表面に物を載せない状態で敷設面に線接触して裏面を雰囲気に曝露する線接触箇所が備わっており、表面に物を載せると変形して裏面と敷設面との接触が拡大され、当該物の安定載置を可能にしたことを特徴とするものである。
【００１２】
このような構成の吸水性のある敷物であっても、表面に物を載せない状態での乾燥は、雰囲気に曝露する表面からの蒸発と、雰囲気に曝露する裏面からの蒸発と、の協働によってなされる。このため、蒸発が促進されて乾燥速度が高くなる。その結果、乾燥度の高い状態での使用が可能となり、不快感をなくして使用感を良くすることができる。しかも、表面に物を載せた場合の変形で、裏面と敷設面との接触が拡大されることにより、物の安定載置が可能となる。
【００１３】
本考案に係る吸水性のある敷物は、前記線接触箇所が複数である。これによれば、各線接触箇所が敷設面に線接触した安定姿勢で敷設面に敷設することが可能となり、表面に物を載せない状態での傾倒が防止され、裏面曝露の縮小を回避して乾燥速度を高めるのに寄与することができる。また、表裏両面積の大きい敷物の作成が可能となるので、多様な敷物の作成に対応できる。
【考案の効果】
【００１４】
本考案の吸水性のある敷物によれば、表面に物を載せない状態での乾燥は、雰囲気に曝露する表面からの蒸発と、雰囲気に曝露する裏面からの蒸発と、の協働によってなされるので、蒸発が促進されて乾燥速度が高くなり、乾燥度の高い使用が可能となりる。よって、不快感をなくして使用感を良くすることができるばかりか、表面に物を載せた場合の変形で、裏面と敷設面との接触が拡大されることにより、物の安定載置が可能となる。
【図面の簡単な説明】
【００１５】
【図１】本考案に係る吸水性のある敷物において、一つの点接触箇所が備わる敷物の第１実施形態を示す正面図である。
【図２】図１の底面図である。
【図３】図２のＡ−Ａ線に沿う縦断正面図である。
【図４】物を載せた状態の一例を示す縦断正面図である。
【図５】本考案に係る吸水性のある敷物において、一つの点接触箇所が備わる敷物の第２実施形態の説明図であり、（ａ）は正面図、（ｂ）は底面図、（ｃ）は（ｂ）のＢ−Ｂ線に沿う縦断正面図、（ｄ）は物を載せた状態の一例を示す縦断正面図である。
【図６】本考案に係る吸水性のある敷物において、複数の点接触箇所が備わる敷物の実施形態の説明図であり、（ａ）は正面図、（ｂ）は底面図、（ｃ）は（ｂ）のＥ−Ｅ線に沿う縦断正面図、（ｄ）は物を載せた状態の一例を示す概略縦断正面図である。
【図７】本考案に係る吸水性のある敷物において、一つの線接触箇所が備わる敷物の実施形態の説明図であり、（ａ）は正面図、（ｂ）は底面図、（ｃ）は（ｂ）のＦ−Ｆ線に沿う縦断正面図、（ｄ）は物を載せた状態の一例を示す概略縦断正面図である。
【図８】本考案に係る吸水性のある敷物において、複数の線接触箇所が備わる敷物の実施形態の説明図であり、（ａ）は正面図、（ｂ）は底面図、（ｃ）は（ｂ）のＪ−Ｊ線に沿う縦断正面図、（ｄ）は物を載せた状態の一例を示す概略縦断正面図である。
【図９】従来例の斜視図である。
【図１０】従来例の縦断面構造の一部を拡大して示す説明図である。
【考案を実施するための最良の形態】
【００１６】
以下、本考案に係る吸水性のある敷物の好ましい実施例を図面に基づいて説明する。図１は本考案に係る吸水性のある敷物において、一つの点接触箇所が備わる敷物の第１実施形態を示す正面図、図２は図１の底面図、図３は図２のＡ−Ａ線に沿う縦断正面図、図４は物を載せた状態の一例を示す縦断正面図である。
【００１７】
図１〜図３において、吸水性のある敷物１は、ポリウレタンなどの連続気孔の多孔質素材からなり、所定曲率の球面で構成した表面２と、表面２と同一曲率中心で当該表面２の曲率よりも小さい曲率の球面で構成した裏面３とを有する肉厚が一様な上向き椀形に成形されており、表裏両面２，３に臨む多数の微細な連続気孔１ａを備えている。敷物１は、図１，図３のように、表面２を上向きにしてテーブルやカウンターの上面などの敷設面４に敷設してコースターとして使用され、例えば、図４のように、表面２に飲用グラスなどの物５が載せられる。
【００１８】
敷物１は、図１，図３に示すように、表面２に物５を載せない状態で敷設面４に敷設すると、裏面３の中心Ｏが敷設面４に点接触して裏面３が雰囲気に曝露する。言い換えると、敷物１の裏面３には、表面２に物５を載せない状態で敷設面４に点接触して、裏面３を雰囲気に曝露する中心Ｏからなる一つの点接触箇所６が備わっている。
【００１９】
このような構成の吸水性のある敷物１によれば、図１，図３のように、表面２に物５を載せない状態での乾燥は、雰囲気に曝露する表面２からの蒸発と、雰囲気に曝露する裏面３からの蒸発と、の協働によってなされる。このため、蒸発が促進されて乾燥速度が高くなる。その結果、乾燥度の高い使用が可能となり、不快感をなくして使用感を良くすることができる。
【００２０】
敷物１は、図４のように、表面２に飲用グラスなどの物５を載せると、物５の押圧荷重により弾性変形して、裏面３と敷設面４との接触が拡大され、物５の安定載置が可能となる。
【００２１】
一つの点接触箇所が備わる敷物の第２実施形態について説明する。
図５は本考案に係る吸水性のある敷物において、一つの点接触箇所が備わる敷物の第２実施形態の説明図であり、（ａ）は正面図、（ｂ）は底面図、（ｃ）は（ｂ）のＢ−Ｂ線に沿う縦断正面図、（ｄ）は物を載せた状態の一例を示す縦断正面図である。
【００２２】
図５（ａ）〜（ｃ）において、吸水性のある敷物１は、ポリウレタンなどの連続気孔の多孔質素材からなり、上下を反転した七角錐内面で構成した表面２と、上下を反転した七角錐面で構成した裏面３とを有する肉厚が一様な上向き椀形に成形されており、表裏両面２，３に臨む多数の微細な連続気孔１ａ（図３参照）を備えている。敷物１は、図５（ａ），（ｃ）のように、表面２を上向きにしてテーブルやカウンターの上面などの敷設面４に敷設してコースターとして使用され、例えば、図５（ｄ）のように、表面２に飲用グラスなどの物５が載せられる。
【００２３】
敷物１は、図５（ａ），（ｃ）に示すように、表面２に物５を載せない状態で敷設面４に敷設すると、裏面３の下向きの頂点Ｐ１が敷設面４に点接触して裏面３が雰囲気に曝露する。言い換えると、敷物１の裏面３には、表面２に物５を載せない状態で敷設面４に点接触して、裏面３を雰囲気に曝露する下向きの頂点Ｐ１からなる一つの点接触箇所６が備わっている。
【００２４】
このような構成の吸水性のある敷物１であっても、図５（ａ），（ｃ）のように、表面２に物５を載せない状態での乾燥は、雰囲気に曝露する表面２からの蒸発と、雰囲気に曝露する裏面３からの蒸発と、の協働によってなされる。このため、蒸発が促進されて乾燥速度が高くなる。その結果、乾燥度の高い使用が可能となり、不快感をなくして使用感を良くすることができる。
【００２５】
敷物１は、図５（ｄ）のように、表面２に飲用グラスなどの物５を載せると、物５の押圧荷重により弾性変形して、裏面３と敷設面４との接触が拡大され、物５の安定載置が可能となる。
【００２６】
複数の点接触箇所が備わる敷物の実施形態について説明する。
図６は本考案に係る吸水性のある敷物において、複数の点接触箇所が備わる敷物の第１実施形態の説明図であり、（ａ）は正面図、（ｂ）は底面図、（ｃ）は（ｂ）のＥ−Ｅ線に沿う縦断正面図、（ｄ）は物を載せた状態の一例を示す概略縦断正面図である。
【００２７】
図６（ａ）〜（ｃ）のように、敷物１は、ポリウレタンなどの連続気孔の多孔質素材からなり、上下を反転した複数の四角錐内面で構成した表面２と、上下を反転した複数の四角錐面で構成した裏面３とを有し、かつ肉厚が一様で縦と横の寸法を大く設定した長方形のマット状に成形されており、表裏両面２，３に臨む多数の微細な連続気孔１ａ（図３参照）を備えている。敷物１は、図６（ａ），（ｃ）のように、表面２を上向きにして，例えば、浴室に隣接する脱衣場の床面（敷設面）４に敷設してバスマットとして使用され、図６（ｄ）のように、表面２に人（物）５が載る［ただし、図６（ｄ）には人の足のみが（物）５として示されている］。
【００２８】
図６（ａ）〜（ｃ）のように、敷物１の裏面３には、多数の点接触箇所６が備わっている。各点接触箇所６は、下向きに延在する多数の逆四角錘それぞれの下向き頂点Ｐ２からなる。
【００２９】
敷物１は、図６（ａ），（ｃ）に示すように、表面２に物５を載せない状態で敷設面４に敷設すると、裏面３の各頂点Ｐ２が敷設面４に点接触して裏面３が雰囲気に曝露する。言い換えると、敷物１の裏面３には、表面２に物５を載せない状態で敷設面４に点接触して、裏面３を雰囲気に曝露する多数の下向き頂点Ｐ２からなる多数の点接触箇所６が備わっている。
【００３０】
このような構成の吸水性のある敷物１によれば、図６（ａ），（ｃ）のように、表面２に物５を載せない状態での乾燥は、雰囲気に曝露する表面２からの蒸発と、雰囲気に曝露する裏面３からの蒸発と、の協働によってなされる。このため、蒸発が促進されて乾燥速度が高くなる。その結果、乾燥度の高い使用が可能となり、不快感をなくして使用感を良くすることができる。
【００３１】
一つの線接触箇所が備わる敷物の実施形態について説明する。
図７は本考案に係る吸水性のある敷物において、一つの線接触箇所が備わる敷物の第１実施形態の説明図であり、（ａ）は正面図、（ｂ）は底面図、（ｃ）は（ｂ）のＦ−Ｆ線に沿う縦断正面図、（ｄ）は物を載せた状態の一例を示す縦断正面図である。なお、図６（ａ）〜（ｄ）の実施形態と同一部分に同一符号を付して、重複する構造の説明は省略もしくは簡略にする。
【００３２】
図７（ａ）〜（ｃ）のように、敷物１における裏面３には、一つの線接触箇所６Ａが備わっている。線接触箇所６Ａは、下向き稜線Ｐ３からなる。敷物１は、図７（ａ），（ｃ）のように、表面２を上向きに敷設面４に敷設してコースターとして使用され、例えば、図７（ｄ）のように、表面２に飲用グラスなどの物５が載せられる。
【００３３】
敷物１は、図７（ａ），（ｃ）に示すように、表面２に物５を載せない状態で敷設面４に敷設すると、一つの稜線Ｐ３が敷設面４に線接触して裏面３が雰囲気に曝露する。言い換えると、敷物１の裏面３には、表面２に物５を載せない状態で敷設面４に線接触して、裏面３を雰囲気に曝露する一つの稜線Ｐ３からなる一つの線接触箇所６Ａが備わっている。
【００３４】
このような構成の吸水性のある敷物１によれば、図７（ａ），（ｃ）のように、表面２に物５を載せない状態での乾燥は、雰囲気に曝露する表面２からの蒸発と、雰囲気に曝露する裏面３からの蒸発と、の協働によってなされる。このため、蒸発が促進されて乾燥速度が高くなる。その結果、乾燥度の高い使用が可能となり、不快感をなくして使用感を良くすることができる。
【００３５】
敷物１は、図７（ｄ）のように、表面２に飲用グラスなどの物５を載せると、物５の押圧荷重により弾性変形して、一つの線接触箇所６が押しつぶされて凡そ平らになり、裏面３と敷設面４との接触が拡大され、物５の安定載置が可能となる。
【００３６】
本実施形態では、敷物１における表面２の面積は物５の底面積よりも大きい関係で相対する。そうすると、物５が載せられた状態での乾燥は、物５からはみ出して雰囲気に曝露する表面２からの蒸発と、当該表面２の裏側で対応して雰囲気に曝露している裏面３からの蒸発と、の協働によってなされる。このため、物５を載せた状態でも、蒸発を促進して乾燥速度を高め、乾燥度を高めることが可能となる。
【００３７】
複数の線接触箇所が備わる敷物の実施形態について説明する。
図８は本考案に係る吸水性のある敷物において、複数の線接触箇所が備わる敷物の第１実施形態の説明図であり、（ａ）は正面図、（ｂ）は底面図、（ｃ）は（ｂ）のＪ−Ｊ線に沿う縦断正面図、（ｄ）は使用状態の一例を示す概略縦断正面図である。
【００３８】
図８（ａ）〜（ｃ）のように、敷物１は、ポリウレタンなどの連続気孔の多孔質素材からなり、山折りと谷折りからなる表面２と、山折りと谷折りからなる裏面３とを有し、かつ肉厚が一様で縦と横の寸法を大く設定した長方形のマット状に成形されており、表裏両面２，３に臨む多数の微細な連続気孔１ａ（図３参照）を備えている。敷物１は、図８（ａ），（ｃ）のように、表面２を上向きにして，例えば、浴室に隣接する脱衣場の床面（敷設面）４に敷設してバスマットとして使用され、図８（ｄ）のように、表面２に人（物）５が載る［ただし、図８（ｄ）には人の足のみが（物）５として示されている］。
【００３９】
図８（ａ）〜（ｃ）のように、敷物１の裏面３には、多数の線接触箇所６Ａが備わっている。各線接触箇所６Ａは、横方向［図８（ｂ）の矢印Ｌ方向］に所定の間隔を隔てて、互いに平行に縦方向［図８（ｂ）の矢印Ｗ方向］全域にのびて下向きに延在する下向き稜線Ｐ４からなる。
【００４０】
敷物１は、図８（ａ），（ｃ）に示すように、表面２に物５を載せない状態で敷設面４に敷設すると、各稜線Ｐ４が敷設面４に線接触して裏面３が雰囲気に曝露する。言い換えると、敷物１の裏面３には、表面２に物５を載せない状態で敷設面４に線接触して、裏面３を雰囲気に曝露する多数の下向き稜線Ｐ４からなる多数の線接触箇所６Ａが備わっている。
【００４１】
このような構成の吸水性のある敷物１によれば、図８（ａ），（ｃ）のように、表面２に物５を載せない状態での乾燥は、雰囲気に曝露する表面２からの蒸発と、雰囲気に曝露する裏面３からの蒸発と、の協働によってなされる。このため、蒸発が促進されて乾燥速度が高くなる。その結果、乾燥度の高い使用が可能となり、不快感をなくして使用感を良くすることができる。
【００４２】
本考案の吸水性のある敷物１は、前記コースターやバスマット以外に、ランチョンマット、植木鉢の受皿、水回りの敷物など、多様な使用形態に適応可能である。
【００４３】
本考案に係る吸水性のある敷物１は、その趣旨および技術思想を逸脱しない範囲であれば、構造変形が可能である。
【産業上の利用可能性】
【００４４】
本考案の吸水性のある敷物は、コースターやバスマット、或いはランチョンマット、植木鉢の受皿、水回りの敷物などとして使用するのに有用である。
【符号の説明】
【００４５】
１  吸水性のある敷物
１ａ  連続気孔
２  表面
３  裏面
４  敷設面
５  物
６  点接触箇所
６Ａ  線接触箇所
【図１】
0003211540.tif 000003
【図２】
0003211540.tif 000004
【図３】
0003211540.tif 000005
【図４】
0003211540.tif 000006
【図５】
0003211540.tif 000007
【図６】
0003211540.tif 000008
【図７】
0003211540.tif 000009
【図８】
0003211540.tif 000010
【図９】
0003211540.tif 000011
【図１０】
0003211540.tif 000012